(57)【要約】【課題】光ビーム走査装置内の不揮発性メモリに記憶されている、光量制御データを含む光ビーム走査装置固有の制御データをレジスタに設定し、光源の点灯制御に用いる画像形成装置において、光源の光量制御に不要な制御データの再設定を防止して、システムの立ち上げ完了までの時間を短縮する。【解決手段】不揮発性メモリ１０９には非リブート領域とリブート領域が設定されている。非リブート領域には書込ユニット用調整値や工程用のＬＤ電流値などの電源オン時やユニット交換時のみ必要な制御データが記憶されており、リブート領域には光量制御データが記憶されている。電源がオンになった時、光源制御部１０４は非リブート領域及びリブート領域の制御データを読み出し、リブート領域の制御データを内部レジスタに設定する。ドアが開閉するなどにより内部レジスタがクリアされた時は、リブート領域から光量制御データを読み出し、内部レジスタに再設定する。【選択図】図２
2014177106.tif 000002
【特許請求の範囲】
【請求項１】
光ビーム走査装置を備え、不揮発性メモリに記憶されている、光量制御データを含む該光ビーム走査装置固有の制御データをレジスタに設定して、該光ビーム走査装置の光源の点灯制御に用いる画像形成装置であって、
前記画像形成装置の電源がオンになったとき、前記不揮発性メモリに記憶されている前記制御データを読み出して前記レジスタに設定するブート手段と、
前記画像形成装置の電源がオンの状態で前記レジスタに設定された光量制御データの再設定が必要な事態が発生したとき、前記不揮発性メモリから前記光量制御データを読み出して前記レジスタに設定するリブート手段と、
を有する画像形成装置。
【請求項２】
請求項１に記載された画像形成装置において、
前記光量制御データの再設定が必要な事態は、画像形成装置の前ドアの開閉、リセットボタンの押下、印刷設定の変更の少なくとも１つである、画像形成装置。
【請求項３】
請求項１に記載された画像形成装置において、
前記光ビーム走査装置は、前記ブート手段、前記リブート手段、及び前記光量制御データが設定される光量制御データレジスタを内蔵する、画像形成装置。
【請求項４】
請求項３に記載された画像形成装置において、
前記ブート手段及びリブート手段は、前記不揮発性メモリから前記制御データを読み出すメモリ読出制御部と、該メモリ読出制御部により読み出された制御データを前記光量制御データレジスタに設定するレジスタ書込制御部と、前記画像形成装置の電源がオンになったこと、前記光量制御データの再設定が必要な事態が発生したことを、前記メモリ読出制御部へ出力するブート/リブート出力手段とを有する画像形成装置。
【請求項５】
請求項４に記載された画像形成装置において、
前記ブート/リブート出力手段は、画像形成装置の本体制御部により、前記電源オンに基づくブート命令及び前記光量制御データの再設定が必要な事態の発生に基づくリブート命令が設定されるレジスタである画像形成装置。
【発明の詳細な説明】
【技術分野】
【０００１】
本発明は、光ビーム走査装置を備えた電子写真方式の画像形成装置に関する。
【背景技術】
【０００２】
光ビーム走査装置を備えた電子写真方式の画像形成装置では、光ビームの光源であるレーザダイオード（以下、ＬＤ）を画像データに基づいて点灯させて感光体を露光して静電潜像を形成し、この静電潜像を現像してトナー像を形成し、このトナー像を用紙などの記録体に転写して記録体上に画像を形成する。
【０００３】
このような画像形成装置として、光ビーム走査装置に設けた不揮発性メモリに、ビーム位置補正値、倍率補正値、ビームパワー補正値などの、光ビーム走査装置固有の制御データを予め記憶しておき、電源オン時や画像形成時に、画像形成装置のプリンタ制御部（本体制御部）が制御データを読み出し、ＬＤの点灯制御に用いるものがある(特許文献１)。
【０００４】
しかしながら、特許文献１に記載された画像形成装置では、プリンタ制御部が多量の制御データを読み出すため、読出にかかる時間（以下、読出時間）が長くなり、かつプリンタ制御部内のＣＰＵの負荷が大きいという問題がある。
【０００５】
他方、このようなＣＰＵの負荷を低減する技術として、不揮発性メモリに記憶されているシェーディング補正情報や画素欠陥情報などの制御データを、ハードウェア構成のメモリ読出制御回路により、電源オン時に自動的（ハード的）に読み出してレジスタに設定することが知られている（特許文献２）。従って、この技術を上述した画像形成装置に適用すれば、読出時間の短縮及びＣＰＵの負荷を低減できると考えられる。
【０００６】
しかしながら、上述した画像形成装置において、制御データの読出及びレジスタ設定を行う手段を、ソフトウェア制御を行うＣＰＵからハードウェア構成のメモリ読出制御回路に代えるだけでは、下記の問題を解決することは出来ない。
【０００７】
光ビーム走査装置内の不揮発性メモリに記憶されている制御データの中には、光量ゲイン調整値などのようなＬＤの点灯開始毎に使用する光量制御データ以外に、電源オン時のみ使用する各色の書込位置のずれを補正するための書込ユニット用調整値や、書込ユニット交換時のみ使用する組付け工程用のＬＤ電流値が格納されている。
【０００８】
また、電源オンに伴って、画像形成装置内のレジスタに制御データが設定された後も光量制御データの再設定が必要な場合がある。即ち、前ドアが開いたことでＬＤを消灯するために光ビーム走査装置の電源がオフになった時、リセットボタンが押下されて光ビーム走査装置内のレジスタ内の光量制御データがリセットされた時、印刷条件（カラー/モノクロなど）の変更により参照する光量制御データの変更が必要になった時である。
【０００９】
そして、このような場合にも、上述した電源オン時と同様に不揮発性メモリに記憶されている制御データをレジスタに再設定すると、光量制御に不要な制御データを再設定するために時間がかかり、システムの立ち上げ完了までの時間が長くなるという問題がある。
【発明の概要】
【発明が解決しようとする課題】
【００１０】
本発明は、このような問題を解決するためになされたものであり、その目的は、光ビーム走査装置を備え、不揮発性メモリに記憶されている、光量制御データを含む該光ビーム走査装置固有の制御データをレジスタに設定して、該光ビーム走査装置の光源の点灯制御に用いる画像形成装置において、前記光源の光量制御に不要な制御データの再設定を防止して、システムの立ち上げ完了までの時間を短縮することである。
【課題を解決するための手段】
【００１１】
本発明は、光ビーム走査装置を備え、不揮発性メモリに記憶されている、光量制御データを含む該光ビーム走査装置固有の制御データをレジスタに設定して、該光ビーム走査装置の光源の点灯制御に用いる画像形成装置であって、前記画像形成装置の電源がオンになったとき、前記不揮発性メモリに記憶されている前記制御データを読み出して前記レジスタに設定するブート手段と、前記画像形成装置の電源がオンの状態で前記レジスタに設定された光量制御データの再設定が必要な事態が発生したとき、前記不揮発性メモリから前記光量制御データを読み出して前記レジスタに設定するリブート手段と、を有する画像形成装置である。
【発明の効果】
【００１２】
本発明によれば、光ビーム走査装置を備え、不揮発性メモリに記憶されている、光量制御データを含む該光ビーム走査装置固有の制御データをレジスタに設定して、該光ビーム走査装置の光源の点灯制御に用いる画像形成装置において、前記光源の光量制御に不要な制御データの再設定を防止して、システムの立ち上げ完了までの時間を短縮することができる。
【図面の簡単な説明】
【００１３】
【図１】本発明の実施形態に係る画像形成装置の概略構成を示す図である。
【図２】図１における光ビーム走査装置の制御系の構成を説明するための図である。
【図３】図２における光源制御部及び不揮発性メモリの内部構成の一例を示す図である。
【図４】本発明の実施形態に係る画像形成装置に電源オン時及び省エネ復帰時の動作を示すフローチャートである。
【図５】本発明の実施形態に係る画像形成装置におけるリカバリ処理を示すフローチャートである。
【発明を実施するための形態】
【００１４】
以下、本発明の実施形態について図面を参照して説明する。
〈画像形成装置の構成〉
図１は、本発明の実施形態に係る画像形成装置の概略構成を示す図である。
【００１５】
この画像形成装置は、中間転写ベルトに沿って各色の画像形成部が並べられた構成を備えるものであり、所謂、タンデムタイプといわれるものである。即ち、中間転写ベルト２５に沿って、この中間転写ベルト２５の回転移動方向の上流側から順に、複数の画像形成部（電子写真プロセス部）６Ｙ、６Ｍ、６Ｃ、６ＢＫが配列されている。
【００１６】
これら複数の画像形成部６Ｙ、６Ｍ、６Ｃ、６ＢＫは、形成するトナー画像の色が異なるだけで内部構成は共通である。画像形成部６Ｙはイエローのトナー画像を、画像形成部６Ｍはマゼンタのトナー画像を、画像形成部６Ｃはシアンのトナー画像を、画像形成部６ＢＫはブラックのトナー画像をそれぞれ形成する。よって、以下の説明では、画像形成部６Ｙについて具体的に説明し、他の画像形成部６Ｍ、６Ｃ、６ＢＫの各構成要素については、画像形成装置６Ｙの各構成要素に付したＹに替えて、Ｍ、Ｃ、ＢＫによって区別した符号を図に表示するにとどめ、説明を省略する。
【００１７】
中間転写ベルト２５は、回転駆動される駆動ローラ７と従動ローラ８とに巻回されたエンドレスのベルトである。この駆動ローラ７は、駆動モータ（図示せず）により回転駆動され、この駆動モータと、駆動ローラ７と、従動ローラ８とが中間転写ベルト２５を移動させる駆動手段として機能する。
【００１８】
画像形成部６Ｙは、感光体ドラム９Ｙ、この感光体ドラム９Ｙの周囲に配置された帯電器１０Ｙ、光ビーム走査装置１１、現像器１２Ｙ、感光体クリーナ（図示せず）、除電器１３Ｙ等から構成されている。光ビーム走査装置１１は、各画像形成部６Ｙ、６Ｍ、６Ｃ、６ＢＫが形成するトナー画像の色に対応する露光光であるレーザ光１４Ｙ、１４Ｍ、１４Ｃ、１４ＢＫを照射するように構成されている。
【００１９】
画像形成に際し、感光体ドラム９Ｙの外周面は、暗中にて帯電器１０Ｙにより一様に帯電された後、光ビーム走査装置１１からのイエロー画像に対応したレーザ光１４Ｙにより露光され、静電潜像が形成される。現像器１２Ｙは、この静電潜像をイエローのトナーにより可視像化（現像）し、このことにより感光体ドラム９Ｙ上にイエローのトナー画像が形成される。
【００２０】
このトナー画像は、感光体ドラム９Ｙと中間転写ベルト２５とが接する位置（１次転写位置）で、転写器１５Ｙの働きにより中間転写ベルト２５上に転写される。
【００２１】
トナー画像の転写が終了した感光体ドラム９Ｙは、外周面に残留した不要なトナーが感光体クリーナにより払拭された後、除電器１３Ｙにより除電され、次の画像形成のために待機する。
【００２２】
イエローのトナー画像が転写された中間転写ベルト２５の部位は次の画像形成部６Ｍへ移動する。画像形成部６Ｍでは、画像形成部６Ｙでの画像形成プロセスと同様のプロセスにより感光体ドラム９Ｍ上にマゼンタのトナー画像が形成され、そのトナー画像が中間転写ベルト２５上に形成されたイエローの画像に重畳されて転写される。
【００２３】
イエローのトナー画像及びマゼンタのトナー画像が転写された中間転写ベルト２５の部位は、さらに画像形成部６Ｃ、６ＢＫに順次移動し、同様の動作により、感光体ドラム９Ｃ上に形成されたシアンのトナー画像と、感光体ドラム９ＢＫ上に形成された黒のトナー画像とが、重畳されて転写される。こうして、中間転写ベルト２５上にフルカラーの画像が形成される。なお、ここでは、イエロー、マゼンタ、シアン、ブラックの順に作像しているが、作成する順序はこれに限られない。
【００２４】
一方、給紙トレイ１に収納された用紙４は最も上のものから順に送り出され、中間転写ベルト２５上に搬送され、中間転写ベルト２５と用紙４とが接する位置（２次転写位置）にて、フルカラーのトナー画像が転写される。このフルカラーのトナー画像が形成された用紙４は、中間転写ベルト２５から剥離されて定着器１６にて画像を定着された後、画像形成装置の外部に排紙される。
【００２５】
〈光ビーム走査装置の制御系〉
図２は、図１における光ビーム走査装置１１の制御系の構成を説明するための図である。
【００２６】
この光ビーム走査装置１１の制御系は、画像処理部１０２と、画像データ出力部１０３と、光源制御部１０４と、同期検知検出部１０８と、不揮発性メモリ１０９とを備えている。画像データ出力部１０３は、データ選択部１０３ａと、画像出力制御部１０３ｂを備えている。
【００２７】
プリンタ制御部（本体制御部）１０１は、この画像形成装置の全体を制御する。また、プリンタ制御部１０１は、図示しない画像形成装置のドアの開閉センサや、リセットボタンなど、画像形成装置の各種センサや操作パネルの状態を把握している。また、プリンタ制御部１０１では、内蔵するＣＰＵが不揮発性メモリ１０９、画像データ出力部１０３、及び光源制御部１０４との間でシリアル通信によるデータ伝送が可能である。
【００２８】
画像処理部１０２は、ブラック、シアン、イエロー、マゼンタの４色の画像データをデータ選択部１０３ａへ送出する。データ選択部１０３ａでは、作像順に合わせて各色のデータ信号が画像出力制御部１０３ｂからのＬＤ点灯信号に基づき出力される。
【００２９】
光源制御部１０４は、光源１０５からポリゴンミラー１０６に出射する光ビームを制御するために、それぞれデータ選択部１０３ａ、画像出力制御部１０３ｂから送られてくるデータ信号、ＬＤ点灯制御信号に基づいて、光源１０５に対し変調信号を出力し、光源１０５がこれを基に各光ビームを出射する。
【００３０】
光源１０５としては、単独の光源素子で1つの発光点をもつ半導体レーザだけではなく、複数の発光点を有する半導体レーザダイオードアレイや、二次元に発光点を配置した面発光型半導体レーザを使用することもできる。
【００３１】
光源１０５から出射された光ビームは、ポリゴンミラー１０６のミラー面に入射する。ポリゴンミラー１０６の回転により、光ビームは主走査方向へ偏向され、図示しない走査レンズとミラーとを介して各感光体ドラム９ＢＫ、９Ｃ、９Ｍ、９Ｃ（以下、感光体ドラム９）を走査しながら感光体ドラム９に露光することで、所望の静電潜像を形成する。
【００３２】
ポリゴンミラー１０６の回転により走査される光ビームの走査先端位置には、受光素子を有する同期検知部１０７が配置されており、ポリゴンミラー１０６の回転位置を光ビームの主走査の書き出し位置を示す同期検知信号として検出する。
【００３３】
不揮発性メモリ１０９には、光ビーム走査装置１１固有の各種制御データ（詳細については図３を用いて後述する）が記憶されている。この画像形成装置の電源をオンすると、光源制御部１０４は制御データを読み出す。そして、読み出された制御データの内の光量制御データを内部のレジスタに設定し、光源１０５の光量制御に用いる。
【００３４】
また、光源制御部１０４は、読み出された制御データの内の光量制御データ以外の制御データをプリンタ制御部１０１へ転送する。プリンタ制御部１０１は、転送されてきた制御データを内部のレジスタに設定し、画像データ出力部１０３における画像データ出力タイミングの調整などに用いる。
【００３５】
〈光源制御部及び不揮発性メモリの内部構成〉
図３は、図２における光源制御部１０４及び不揮発性メモリ１０９の内部構成の一例を示す図である。
【００３６】
図示のように、光源制御部１０４は、それぞれがハードウェア構成の読出命令レジスタ１２１、メモリ読出制御部１２２、光量制御データレジスタ１２３、制御データレジスタ書込制御部１２４、及び制御データ転送部１２５を備えている。プリンタ制御部１０１はシリアル通信により、読出命令レジスタ１２１にブート命令（詳細については後述）を設定する。
【００３７】
ブート/リブート出力手段としての読出命令レジスタ１２１には、ブート命令レジスタ１２１ａと、リブート命令レジスタ１２１ｂとがある。ブート命令レジスタ１２１ａには、画像形成装置の電源がオンになった時、プリンタ制御部１０１により“１”が設定される。リブート命令レジスタ１２１ｂには、画像形成装置の電源がオンの状態で光量制御データレジスタ１２３に設定された光量制御データの再設定が必要な事態が発生したとき（以下、リブート時）、プリンタ制御部１０１により“１”が設定される。ここで、リブート時としては、画像形成装置の前ドアが開閉された（開いてから閉じた）時、リセットボタンが押下された時、印刷設定(カラー/モノクロなど)が変更された時などがある。ブート命令レジスタ１２１ａ及びリブート命令レジスタ１２１ｂはメモリ読出制御部１２２に接続されているので、これらのレジスタの設定値はメモリ読出制御部１２２へ出力（伝達）される。
【００３８】
不揮発性メモリ１０９には、光ビーム走査装置１１固有の制御データの記憶領域として、非リブート領域１１１と、リブート領域１１２がある。非リブート領域１１１には、光量制御データ以外のデータとして、工程調整用ＬＤ電流値、色ずれ補正値、倍率補正値、ビームピッチ調整値、及び倍率誤差偏差値が記憶される。また、リブート領域１１２には光量制御データとして、シェーディング補正値及び光量ゲイン調整値が記憶される。ここで、非リブート領域１１１、リブート領域１１２の各々は、アドレスが連続した領域とすることが好適であるが、例えばデータの先頭にデータの種類（光量制御データ/光量制御データ以外の制御データ）を示すヘッダを付加することで、アドレスが連続しない領域とすることもできる。
【００３９】
画像形成装置の電源がオンになり、プリンタ制御部１０１によりブート命令レジスタ１２１ａに“１”が設定されると、この設定値がメモリ読出制御部１２２に入力される。メモリ読出制御部１２２は、この設定値の入力に応じて、非リブート領域１１１及びリブート領域１１２の双方から制御データを読み出す。そして、リブート領域１１２から読み出した制御データ（光量制御データ）を制御データレジスタ書込制御部１２４へ送り、非リブート領域１１１から読み出した制御データ（光量制御データ以外の制御データ）を制御データ転送部１２５へ送る。
【００４０】
制御データレジスタ書込制御部１２４は、受け取った光量制御データを制御データレジスタ１２３に書き込むことで設定する。制御データ転送部１２５は、光量制御データ以外の制御データ（以下、「その他の制御データ」）をプリンタ制御部１０１へ転送し、プリンタ制御部１０１は「その他の制御データ」を内部のレジスタに書き込むことで設定する。
【００４１】
また、リブート時にプリンタ制御部１０１によりリブート命令レジスタ１２１ｂに“１”が設定されると、この設定値がメモリ読出制御部１２２へ出力される。メモリ読出制御部１２２は、この設定値の入力に応じて、リブート領域１１２から制御データ（光量制御データ）を読み出す。読み出された光量制御データは、制御データレジスタ書込制御部１２４へ送られ、光量制御データレジスタ１２３に再設定される。
【００４２】
ここで、光量制御データレジスタ１２３に設定される光量制御データであるシェーディング補正値、光量ゲイン調整値を用いる光量制御について説明する。
画像形成装置の光ビーム走査装置では、ラスタ書込方式で書込を行うため、光学系の特性により感光体に到達する光量が主走査位置により異なる。一般的には光学系に垂直に入社する主走査方向の画像中心部は光学系の透過率が高く、画像の主走査端部に近づくにつれて透過率が低くなる傾向にある。そのためＬＤの出射光量を主走査位置に応じて変化させることで、感光体上の光量を一定に保つ。この光学系の特性を補正することをシェーディング補正と呼んでいる。
【００４３】
シェーディング補正は一般的に光ビーム走査装置を組み立てる際に光学系の特性を計測しておき、本体又は光ビーム走査装置に搭載される不揮発性メモリ（本実施形態では後者）にその情報を記憶しておき、ＬＤドライバ（本実施形態では光源制御部１０４）でその情報に基づき光量を補正している。この補正は光学系の熱膨張による形状や透過率の変化が発生した場合に行うことで画像に対する濃度ムラを防止するため、適宜補正を実施する必要がある。
【００４４】
また、光量ゲイン調整値は所謂ＡＰＣ（Auto
Power Control:自動光量制御）用のパラメータである。このパラメータは不揮発性メモリ１０９から読み出され、初期値として光量制御データレジスタ１２３に設定された後、ＬＤのフロント側の出射光量に比例したバック出射光量を内蔵するフォトダイオードで受けて生成したモニタ電流を基に一定の目標出射光量が得られるように更新される。つまり、光量ゲイン調整はＬＤの点灯を開始する毎に実施する必要がある。
【００４５】
従って、シェーディング補正や光量ゲイン調整を行うには不揮発性メモリ１０９に格納されているシェーディング補正や光量ゲイン調整値を読み出し、光量制御データレジスタ１２３に設定する必要がある。不揮発性メモリ１０９に格納されている制御データは膨大な量であるため、プリンタ制御部１０１内のＣＰＵがシリアル通信で読み出したのでは時間がかかると共にＣＰＵの負荷が増大する。また電源オフや省エネ移行の度に、光源制御部１０４の電源がオフされるため、光量制御データレジスタ１２３の設定データがクリアされてしまい、その都度、再設定が必要であり、そのためのＣＰＵの負荷も大きい。
【００４６】
そこで、本実施形態では、光ビーム走査装置１１の電源がオンとなると同時に、不揮発性メモリ１０９内の制御データを自動でブートするブート手段として、ブート命令レジスタ１２１ａ、メモリ読出制御部１２２、制御データレジスタ書込制御部１２４、及び制御データ転送部１２５を設けることで、電源オン時のプリンタ制御部１０１内のＣＰＵの負荷低減を可能とした。
【００４７】
その一方で、不揮発性メモリ１０９には「その他の制御データ」として各色の書込位置のずれを補正するための書込ユニット用調整値や工程用のＬＤ電流値が格納されている。書込ユニット用調整値や工程用のＬＤ電流値は電源オン時やユニット交換時のみ必要であり、光量制御には不要である。
【００４８】
このため、リブート時も電源オン時と同様に、不揮発性メモリ１０９内の制御データを全て読み出してしまうと、光量制御に不要なこれらのデータも読み出されてしまう。また、一般的に不揮発性メモリはＳＲＡＭ等と比べてデータの読出にある程度の時間を有するため、リブート時には無駄な読出時間が長くなる。
【００４９】
そこで、本実施形態では、リブート時には、メモリ読出制御部１２２は光量制御データのみをリブート領域１１２から読み出し、非リブート領域１１１に記憶されている制御データを読み出さないことで、不要な制御データの読出を防止して読出時間の短縮を実現している。
【００５０】
書込ユニット用調整値や工程用のＬＤ電流値は補正の精度を上げるのに比例して調整用のデータが増大し、それに伴い読出期間が長くなってしまう恐れがある。そこで上記のような構成をとることで、リブート時の光量調整にかかる時間を必要最低限にすることが出来る。即ち、リブート手段としての、リブート命令レジスタ１２１ｂ、メモリ読出制御部１２２、及び制御データレジスタ書込制御部１２４により、光量制御に不要な制御データの再設定に伴う無駄な時間を無くし、システムの立ち上げ完了までの時間を短縮している。
【００５１】
〈電源オン時及び省エネ復帰時の動作〉
図４は、本発明の実施形態に係る画像形成装置に電源オン時及び省エネ復帰時の動作を示すフローチャートである。この図のフローは、画像形成装置の電源がオンされた時、若しくは省エネ状態から復帰した時にスタートする。
【００５２】
最初に初期設定を行う（ステップＳ１：初期設定工程）。この工程では、画像形成装置のシステム構成情報（ＬＤの数、後処理装置などの接続機器情報など）を設定する処理であり、画像形成装置の動作状態によらず実行する。
【００５３】
また、この工程では、プリンタ制御部１０１により、光源制御部１０４内のリブート命令レジスタ１２１ｂに“１”が設定されることで、不揮発性メモリ１０９の非リブート領域１１１及びリブート領域１１２の双方に記憶されている制御データがメモリ読出制御部１２２により読み出される。そして、リブート領域１１２から読み出された制御データは光量制御データレジスタ１２３に設定され、非リブート領域１１１から読み出された制御データはプリンタ制御部１０１内のレジスタに設定される。
【００５４】
次に印刷準備を行う（ステップＳ２：印刷準備工程）。この工程では、感光体ドラム９への露光や同期検知信号を生成する基となるポリゴンモータの駆動を行う。次にＬＤ点灯準備を行う（ステップＳ３：ＬＤ点灯準備工程）。この工程では、同期検知信号の検出準備や光量調整（ＡＰＣ）を行う。この工程が完了しないと次の印刷設定の工程に進むことが出来ないため、装置本体の操作部やＰＣ（パーソナルコンピュータ）から送信される印刷ジョブを受け付けることが出来ない。
【００５５】
次に印刷設定を行う（ステップＳ４：印刷設定工程）。この工程では、用紙４に形成する画像データのサイズ等の印刷条件に基づいた設定を行う。印刷設定の後、印刷を実行する（ステップＳ５：印刷実行工程）。印刷実行の後、印刷後設定を行う（ステップＳ６：印刷後設定工程）。この工程では、不要な露光が発生しないための光源１０５の消灯やポリゴンモータの停止などを行う。
【００５６】
用紙ジャムなどの異常状態を解消させるために画像形成装置のドアを開閉した時やユーザがリセットボタンを押下した時などには、リカバリ処理の後にＬＤ点灯準備から再度設定を実施する。図５は、このリカバリ処理の内容を示すフローチャートである。
【００５７】
リカバリ処理が始まると、プリンタ制御部１０１により、光源制御部１０４内のリブート命令レジスタ１２１ｂに“１”が設定される（ステップＳ１１）。このリブート命令レジスタ１２１ｂの設定値“１”はメモリ読出制御部１２２へ送られる（ステップＳ１２）。
【００５８】
メモリ読出制御部１２２は、リブート命令レジスタ１２１ｂの設定値“１”を受け取ると、不揮発性メモリ１０９のリブート領域１１２に記憶されている光量制御データを読み出す（ステップＳ１３）。この光量制御データは、制御データレジスタ書込制御部１２４に送られ、光量制御データレジスタ１２３に再設定される（ステップＳ１４）。このリカバリ処理の後、ＬＤ点灯準備工程（ステップＳ３）に進み、光量制御データレジスタ１２３に再設定された光量制御データを用いて光量調整を行う。
【００５９】
このように、本実施形態に係る画像形成装置では、不揮発性メモリ１０９内を非リブート領域１１１とリブート領域１１２に分ける構成をとることで、不要なメモリアクセスを無くせるため、リブート時の光量調整時間を短縮することが出来る。これにより、異常処理復帰からの印刷ジョブを受け付けるタイミングを早めることが出来るため、結果としてシステム全体の立ち上げ時間を短縮することが出来、印刷ジョブ要求の待ち時間を減らすことができる。
【符号の説明】
【００６０】
４…用紙、１１…光ビーム走査装置、９，９ＢＫ，９Ｃ，９Ｍ，９Ｙ…感光体ドラム、１０ＢＫ，１０Ｃ，１０Ｍ，１０Ｙ…帯電器、１２ＢＫ，１２Ｃ，１２Ｍ，１２Ｙ…現像器、１３ＢＫ，１３Ｃ，１３Ｍ，１３Ｙ…除電器、１５ＢＫ，１５Ｃ，１５Ｍ，１５Ｙ…転写器、２５…中間転写ベルト、１２１ａ…ブート命令レジスタ、１２１ｂ…リブート命令レジスタ、１２２…メモリ読出制御部、１２３…光量制御データレジスタ、１２４…制御データレジスタ書込制御部、１２５…制御データ転送部。
【先行技術文献】
【特許文献】
【００６１】
【特許文献１】特開２００６−６８９２７号公報
【特許文献２】特開２０１０−２７８５６０号公報
【図１】
2014177106.tif 000003
【図２】
2014177106.tif 000004
【図３】
2014177106.tif 000005
【図４】
2014177106.tif 000006
【図５】
2014177106.tif 000007